(57)【要約】【課題】自然なページめくりを実現する書類表示装置を提供すること。【解決手段】書類のページを表示する書類表示装置であって、書類表示装置の加速度を検出する加速度検出手段２３０２と、時間の経過を検出するタイマー２３１１と、加速度検出手段２３０２とタイマー２３１１から書類表示装置の加速度の時系列変化２３０９を蓄積する時系列情報蓄積手段と、書類表示装置で表示されたページの変更処理と、加速度の変化の時系列情報とを対応付けたルール２３１０を蓄積する時系列ルール蓄積手段と、時系列情報蓄積手段で蓄積された加速度の時系列情報２３０９と、時系列ルール蓄積手段で蓄積された時系列ルール２３１０の照合の結果に基づいて、対応するページの変更処理を選択し、前記書類表示装置に表示しているページの表示変更を行う表示変更手段とを備えた、書類表示装置である。【選択図】図２３
2006323859.tif 000002
【特許請求の範囲】
【請求項１】
書類のページを表示する書類表示装置であって、
前記書類表示装置の加速度を検出する加速度検出手段と、
時間の経過を検出する時間経過検出手段と、
前記加速度検出手段と前記時間経過検出手段から前記書類表示装置の加速度の時系列変化を蓄積する時系列情報蓄積手段と、
前記書類表示装置で表示されたページの変更処理と、加速度の変化の時系列情報とを対応付けたルールを蓄積する時系列ルール蓄積手段と、
前記時系列情報蓄積手段で蓄積された加速度の時系列情報と、前記時系列ルール蓄積手段で蓄積されたルールの加速度の時系列情報の照合の結果に基づいて、対応するページの変更処理を選択し、前記書類表示装置に表示しているページの表示変更を行う表示変更手段とを備えた、書類表示装置。
【請求項２】
前記時系列ルール蓄積手段で蓄積されているルールの加速度の時系列変化は、３個の加速度の極値とページめくりが対応付けされて蓄積されている、請求項１記載の書類表示装置。
【請求項３】
前記時系列ルール蓄積手段で蓄積されているルールの加速度の時系列変化は、１回目の極値と２回目の極値の値が反対方向の加速度であり、さらに、３回目の極値の値は１、２回目の極値の値より小さい、請求項２記載の書類表示装置。
【発明の詳細な説明】
【技術分野】
【０００１】
本発明は、例えば、小型のディスプレイを有する表示装置を空間的に動かすことにより、その画面上の映像の表示形態を変化させることができる画像表示方法及びその装置に関するものである。
【背景技術】
【０００２】
近年電子機器の小型化が進み、携帯電子機器の使用も一般的になりつつある。加えて、小型の電子機器も比較的大型な電子機器に劣らない高度な性能を持つようになってきている。
【０００３】
しかし、このような小型電子機器上の表示装置に表示される画像（ここで、画像は静止画、動画以外に文字など、全ての表示情報の総称として用いる）の移動などの操作を行うために、現在の小型電子機器ではボタン（指で物理的に押すものや、表示装置に表示されたボタン画像を指やペンでタッチするものなど）やポインティング・デバイス（マウス、トラックボール、タブレットなど）を用いている。
【０００４】
これらの手法は、比較的大型の電子機器の手法をそのまま、あるいは小型化して小型電子機器に搭載したもので、本来卓上に電子機器を固定し、その上で使用することを前提としている。
【０００５】
以下に従来の小型電子機器の画像操作法について説明する。
【０００６】
図１３は従来の画像操作を実現できる小型電子機器の構成図である。図中で１３０１は画像を実際に表示する表示装置、１３０２は画像に対する表示変更操作を入力する入力装置、１３０３は画像データ情報１３０４を格納しておく記憶装置である。１３０５は中央処理装置を示し、この中央処理装置（ＣＰＵ）１３０５は画像の表示を変更する表示変更手段１３０６を有し、表示変更手段１３０６を実行するとともに、表示装置１３０１、入力装置１３０２、記憶装置１３０３を制御する。以上の表示装置１３０１、入力装置１３０２、記憶装置１３０３、ＣＰＵ１３０５はシステムバス１３０７で接続されている。
【０００７】
以上のように構成された小型電子機器の画像操作法について、以下にその動作について説明する。ここで、以降の各処理は中央処理装置１３０５により制御、実行される。まず、記憶装置１３０３内の画像データ情報１３０４を読み出し、表示装置１３０１上に表示する。画像が表示されている際に、ユーザが入力装置１３０２によって、表示変更操作を入力することで、表示変更手段１３０５が表示装置１３０１上の表示画像を移動、変更する。
【０００８】
また、これとは別に卓上の計算機において、特開平５−５００８７２のように機器に接続するポインティング・デバイスの移動、回転を検出することで、表示情報を移動、回転するシステムが提案されている。
【発明の開示】
【発明が解決しようとする課題】
【０００９】
しかしながら、小型電子機器の上記従来の構成では、入力装置により表示情報を移動、変更させるための命令を入力するという間接的な操作形態を取るので、ユーザにとって操作が直接的、直感的でないという問題点を有していた。これによりユーザは常に画像の移動、変更を意識して操作しなければならず、本来の画像を見るという目的の妨げとなっている。
【００１０】
また、特開平５−５００８７２の手法はポインティング・デバイスという機器に対して外付の形態を取る入力装置の移動、回転を検出する。しかし、小型電子機器を携帯したままではポインティング・デバイスを扱うことが困難であり、この手法は有効ではない。
【００１１】
本発明は、上記従来の問題点を解決するもので、ユーザにとって直接的、直感的で、かつ携帯したままの状態で容易に画像を操作できる画像表示方法及びその装置を提供することを目的とする。
【課題を解決するための手段】
【００１２】
請求項１の本発明は、画像を画像表示面に表示させるステップと、機器の一部又は全部の位置を変化させた場合、その位置の変化に関する情報を検出するステップと、その検出された位置の変化に関する情報に基づいて、前記画像表示面に表示される画像を変化させるステップとを備えたことを特徴とする画像表示方法である。
【００１３】
請求項２の本発明は、画像を表示している画像表示面の位置を変化させた場合に、その位置の変化に関する情報を検出するステップと、その検出された位置の変化に関する情報に基づいて、前記画像表示面に表示される画像を変化させるステップとを備えたことを特徴とする画像表示方法である。
【００１４】
なお、上記発明の画像表示方法における前記位置の変化に関する情報とは、その位置の傾きに関する情報である、又はその位置の加速度に関する情報であるとしてもよい。
【００１５】
請求項４の本発明は、画像を表示する表示手段と、機器の一部又は全部の位置を変化させた場合、その位置の変化に関する情報を検出する変化検出手段と、その変化検出手段により検出された位置の変化に関する情報に基づいて、前記表示手段により表示される画像を変化させる表示変更手段とを備えたことを特徴とする画像表示装置である。
【００１６】
請求項５の本発明は、画像を表示する表示手段と、その表示手段における画像を表示している画像表示面の位置を変化させた場合に、その位置の変化に関する情報を検出する変化検出手段と、その変化検出手段により検出された位置の変化に関する情報に基づいて、前記表示手段により表示される画像を変化させる表示変更手段とを備えたことを特徴とする画像表示装置である。
【００１７】
請求項７の本発明は、本体に着脱可能であり、画像データを記憶しているカートリッジと、そのカートリッジに記憶されている画像データに基づいて、画像を表示する前記本体に具備された表示手段と、その表示手段における画像を表示している画像表示面の位置を変化させた場合に、その位置の変化に関する情報を検出する変化検出手段と、その変化検出手段により検出された位置の変化に関する情報に基づいて、前記表示手段により表示される画像を変化させる表示変更手段とを備え、前記カートリッジは、前記変化検出手段及び／又は前記表示変更手段の全部又は一部を格納していることを特徴とする画像表示装置である。
【００１８】
なお、請求項５の本発明は、前記表示手段における画像表示面の位置を可動状態で支持する支持手段を備え、前記変化検出手段は、前記表示手段における画像表示面の位置を変化させた場合、前記支持手段に対する前記画像表示面の位置の相対的変化に基づいて、前記位置の変化に関する情報を検出するとしてもよい。
【００１９】
また、上記発明の画像表示装置の表示変更手段は、例えば、前記変化検出手段により検出された位置の変化に関する情報を直接的に用いて、前記表示手段により表示される画像を変化させるとしてもよく、あるいは前記変化検出手段により検出された位置の変化に関する情報を間接的に用いて、前記表示手段により表示される画像を変化させるとしてもよい。即ち、上記発明の画像表示装置は、時間の経過を検出する時間経過検出手段と、その時間経過検出手段により検出された時間の経過と前記変化検出手段により検出された位置の変化に関する情報に基づいて得られた、その位置の変化に関する時系列情報を格納する変化時系列記憶手段とを備え、前記表示変更手段は、前記変化時系列記憶手段に格納された位置の変化に関する時系列情報を考慮して、前記表示手段により表示される画像を変化させるとしてもよい。要するに、上記発明の画像表示装置の表示変更手段は、前記変化検出手段により検出された位置の変化に関する情報に基づいて、前記表示手段により表示される画像を変化させるものであればよい。
【００２０】
また、上記発明の画像表示装置では、前記位置の変化に関する情報とは、その位置の傾きに関する情報であり、前記変化検出手段は、傾きセンサを用いて、前記位置の傾きに関する情報を検出するとしてもよい。
【００２１】
また、上記発明の画像表示装置では、前記位置の変化に関する情報とは、その位置の加速度に関する情報であって、前記変化検出手段は、加速度センサを用いて、前記位置の加速度に関する情報を検出するとしてもよい。
【００２２】
また、上記発明の画像表示装置では、前記位置の変化に関する情報とは、その位置の傾きに関する情報であり、前記変化検出手段は、ジャイロを用いて、前記位置の変化に関する情報を検出するとしてもよい。
【００２３】
また、上記発明の画像表示装置の変化検出手段は、スイッチを用いて、前記位置の変化に関する情報を検出するとしてもよい。
【００２４】
以上のような構成によって、本発明の画像表示装置は、例えば、以下の特徴を有する。
【００２５】
画像表示面の傾きとその傾きの変化の両方又は一方を検出することができ、その検出結果に基づいて、回転又は移動等の変化を表示手段により表示される画像に反映させることができる。このようにして、画像表示面を傾ける行為が直接画像の変化に反映されるため、ユーザにとって直感的に理解しやすい画像表示装置を提供することが可能となる。
【００２６】
あるいは、画像表示面を傾けたり、移動させたりする際に生じる加速度とその加速度の変化の両方又はどちらか一方を検出することができ、その検出結果に基づいて、回転又は移動等の変化を表示手段により表示される画像に反映させることができる。このようにして、画像表示面を傾けたり、移動させたりする行為が直接画像の変化に反映されるため、ユーザにとって直感的に理解しやすい画像表示装置を提供することが可能となる。
【発明の効果】
【００２７】
以上に示したように、本発明の構成によれば、ユーザは実際の物体を観察するために行うような視点変更のための作業を機器に対して行う、あるいは物体に対する視点を自ら移動するという作業を行うことのみで、表示画像に対する望みの視点変更を容易にかつ自然に行うことが可能となる。
【００２８】
したがって、本発明によれば、ユーザに対して自然な操作感があり、かつ携帯しながらでも容易に操作可能な画像表示装置を実現できる。
【発明を実施するための最良の形態】
【００２９】
以下、本発明の実施の形態について図面を参照しながら詳細に説明する。
【００３０】
（第１の実施の形態）
以下に本発明の第１の実施の形態について、図面を参照しながら説明する。本実施の形態は携帯型のデータ・ビュアーを対象に、表示される画像の表示を変化させる働きを持つ。
【００３１】
図１は本実施の形態のシステム構成を示す図である。機器による画像情報の表示は表示手段である表示装置１０１によって行われ、機器の傾きの変化の検出は傾き検出手段１０２によって行われる。表示装置１０１に表示する画像情報は画像データ情報１０４として記憶装置１０３に格納され、ユーザから機器に対する命令の入力は入力装置１０７を介して行われる。これらの装置及び手段は中央処理装置（ＣＰＵ）１０５とシステムバス１０８によって接続され、ＣＰＵ１０５は表示変更手段１０６の実行と各装置及び手段の制御を行う。
【００３２】
但し、本実施の形態では、便宜上、表示変更手段１０６は、ＣＰＵ１０５にあるものとしたが、もう少し詳しく書けば、この表示変更手段１０６は、本実施の形態で説明する表示変更の処理を行うプログラムと、それが起動されている際の実効プログラムによる演算処理及び制御等を行うＣＰＵ１０５とそれとシステムバス１０８を介して接続されているその実効プログラムの記憶及び作業領域等に使用される記憶装置１０３を含むコンピュータとによって、ソフト的に構成されるものである。
【００３３】
図２は本実施の形態に係る画像表示装置の斜視図であり、携帯型データ・ビュアーを示している。本実施の形態では、上記システム構成において、表示装置１０１としてＬＣＤ（２０１）、傾き検出手段１０２として機器に内蔵した傾きセンサ、入力装置１０７としてボタン１（２０２）、ボタン２（２０３）をそれぞれ用いる。ここで、ボタン１（２０２）は表示変更手段によって画像を表裏反転するためのボタンであり、ボタン２（２０３）は押している間のみ、その間の機器の傾きの変化に対応させて表示変更手段を動作させるためのボタンである。
【００３４】
ここで、図１の表示装置１０１は、本発明の画像表示装置の表示手段に該当する。図２のＬＣＤ２０１は、同発明の画像表示面に該当し、同発明の表示手段に含まれる。傾き検出手段１０２は、同発明の変化検出手段に該当する。
【００３５】
次に本実施の形態の動作を説明する。まず、図３は機器の状態変化とそれに対応した表示画像の状態変化例を示す図である。ユーザの使用状況を側面から見た状態３０１に機器があるとき、機器の表示装置には状態３０２のように側面から見える空間図形が表示されているとする。次に機器を状態３０３のようにα傾けた場合、表示されている図形をユーザから見た場合に機器の傾け方向と同じ向きにβ傾けて表示する。ここで、機器の傾きの変化αと表示画像の傾きの変化βの関係は
β＝ｆ（α）
となる関数ｆで表されるものとする。なお、図３中ではユーザの視点方向に対して機器の手前側をα上部で傾けているが、任意の方向に傾けて良いものとする。
【００３６】
この動作を画像の表示変更処理の流れ図を示す図４を用いて説明する。処理について、まずステップ４０２でボタン２（２０３）が押されているかどうかを判定する。もし押されているならば、ステップ４０３で機器の傾きの変化αが傾き検出１０２（傾きセンサ）によって検出されたかどうかを判定する。ここで傾きセンサによる傾きの変化の検出は既存の手法を用いて構わない。ステップ４０３で機器の傾きの変化が検出された場合、その変化に対応させて表示画像の傾きをβ変化させ、処理を終了する。ステップ４０３で機器の傾きの変化が検出されなかった場合、そのまま処理を終了する。ステップ４０２でボタン２（２０３）が押されていない場合、ステップ４０５でボタン１（２０２）が押されたかどうかを判定する。もし押されていなければそのまま処理を終了し、押されたならば画像の表裏反転を行い、処理を終了する。
【００３７】
なお、図４の処理を１／６０秒程度のタイムスライスで実行するか、あるいはβだけ表示画像を傾ける際に、間を補完する映像を表示することで静止画の切り替えだけでなく、動画の表示による表示変更を行ってもよい。また、タイムスライスの間隔を１／６０秒程度と上記したが、他の一定の時間間隔または傾きの変化量に比例するなどの可変な時間間隔を取っても構わない。
【００３８】
次に本実施の形態の動作を具体的な二つの例を元に説明する。
【００３９】
（例１）
この例では画像データ情報として自動車の任意の角度からの映像を準備する。準備した映像の一部を図５（ａ）に示す。また、関数ｆとして
β＝ｆ（α）＝３×α  （０゜≦｜α｜≦３０゜）
を用いるとする。機器のＬＣＤ２０１には自動車の上部からの映像がユーザに対して手前に車体の前方を向けて表示されているとする（５０１）。ステップ４０２でユーザがボタン２（２０３）を押していると判定された場合、ステップ４０３で機器の傾きの変化が検出される。もし、機器の手前をユーザの視点方向に対して上部へ２０度傾けた場合、
β＝ｆ（２０°）＝３×２０°＝６０°
となり、ステップ４０４で表示自動車画像を機器の傾きの変化と同じ方向に６０度傾ける。このことにより自動車の前上方３０度の角度からの視点で車を眺める映像を表示する（５０２）。他方向についても同様に機器の傾きの変化方向と同方向に表示変更する。また、ステップ４０２でボタン２（２０３）が押されておらず、ステップ４０５でボタン１（２０２）が押されたことが判定された場合、ステップ４０６において自動車の下部からの映像を表示する。
【００４０】
（例２）
この例でも画像データ情報として自動車の任意の角度からの映像を準備する。準備した映像の一部を図５（ａ）に示す。また、関数ｆとして
β＝ｆ（α）＝−α
を用いるとする。機器のＬＣＤ２０１には自動車の上部からの映像がユーザに対して手前に車体の前方を向けて表示されているとする（５０１）。ステップ４０２でユーザがボタン２（２０３）を押していると判定された場合、ステップ４０３で機器の傾きの変化が検出される。もし、機器の手前をユーザの視点方向に対して上部へ２０度傾けた場合、
β＝ｆ（２０°）＝−２０°
となり、ステップ４０４で表示自動車画像を機器の傾きの変化と逆方向に２０度傾ける。このことにより自動車に対して後方に２０度の視点が移動したのと同様の表示変更が行われる（５０３）。他方向についても同様に機器の傾きの変化方向と逆方向に表示変更する。また、ステップ４０２でボタン２（２０３）が押されておらず、ステップ４０５でボタン１（２０２）が押されたことが判定された場合は例１と同様である。
【００４１】
以上のように、本実施の形態によれば、機器の傾きの変化を傾きセンサにより検出し、機器の傾きの変化情報に基づいて表示画像を変化させることによって、（例１）のようにユーザが表示画像の覗き込みたい方向に視点が移るように傾けることで、望みの表示画像を表示することができ、（例２）のように機器を表示画像に対する表示窓そのものと見なして、視点を変化させた表示を行うことができる。
【００４２】
なお、本実施の形態では、傾き検出手段は、傾きの変化を検出するとしたが、必ずしもこれに限らず、傾き又は傾きと傾きの変化を検出するとしてもよい。要するに、傾き検出手段は、傾きに関する情報を検出するものであれば良い。
【００４３】
また、本実施の形態では、ボタン２（２０３）を押している間のみ傾きを検出するようにしたが、必ずしもこれに限らず、ボタンを押していない間でも常時検出したり、底面に本体を持ち上げた状態を検出するセンサを取り付けた上で持ち上げた状態と判定した時にのみ傾きを検出するなどの方法を用いても構わない。
【００４４】
また、本実施の形態では、画像表示装置は、本実施の形態で説明した動作の処理を行うプログラムと、それが起動されている際の実効プログラムによる演算処理及び制御等を行うＣＰＵ１０５とそれとシステムバス１０８を介して接続されているその実効プログラムの記憶及び作業領域等に使用される記憶装置１０３を含むコンピュータとにより、ソフト的に構成されるとしたが、必ずしもこれに限らず、画像表示装置の各構成要素は、ハード的に構成されるとしてもよい。
【００４５】
（第２の実施の形態）
本発明の第２の実施の形態は、そのシステム構成において傾き検出手段としてジャイロを用いることのみが第１の実施の形態と異なり、他の構成及び動作は第１の実施の形態と等しいので詳細は省略する。ここで、ジャイロによる傾き検出は既存の手法を利用して構わない。
【００４６】
（第３の実施の形態）
以下に本発明の第３の実施の形態について、図面を参照しながら説明する。本実施の形態の対象は第１の実施の形態と同じである。
【００４７】
本実施の形態のシステム構成は、傾き検出手段として機器の裏側に設置されたスイッチを用いることのみが第１の実施の形態と異なり、他の構成は第１の実施の形態と共通する。
【００４８】
図６は本実施の形態に係る画像表示装置の斜視図であり、携帯型データ・ビュアーを示す。本実施の形態の表側の形態は第１の実施の形態と共通する。裏側には傾き検出手段としてスイッチ６０４が四辺に設置される。ここで、スイッチ６０４は既存のものを利用して構わない。本実施の形態の機器は、裏側を例えば机上のような平面に置き、スイッチ６０４全てがＯＮになっている状態から、一部方向を持ち上げたり降ろしたりしてスイッチの状態を変更することで使用する。
【００４９】
次に本実施の形態の動作を説明する。
【００５０】
図７は画像の表示変更処理の流れ図である。処理では、まずステップ７０２でボタン２（６０３）が押されているかどうかを判定する。もし押されていれば、ステップ７０３で傾き検出手段であるスイッチ６０４の変化を調べて機器の傾きの変化が検出されたかどうかを判定する。傾きの変化は、４つのスイッチともＯＮの状態といずれか１つのスイッチがＯＮの状態の間の推移によって判定する。机上に水平に置かれている場合は、スイッチ６０４は全てＯＮ状態であり、四辺のいずれか一方を持ち上げると持ち上げたのとは逆の一方のスイッチ６０４のみがＯＮ状態となることで判定する。ステップ７０３で機器の傾きの変化が検出された場合、その変化に対応させて表示画像の傾きを変化させ、処理を終了する。ステップ７０３で機器の傾きの変化が検出されなかった場合、そのまま処理を終了する。ステップ７０２でボタン２（６０３）が押されていない場合、ステップ７０５でボタン１（６０２）が押されたかどうかを判定する。もし押されていなければそのまま処理を終了し、押されたならば画像の表裏反転を行い、処理を終了する。
【００５１】
なお、図７の処理を１／６０秒程度のタイムスライスで実行するか、あるいはβだけ表示画像を傾ける際に、間を補完する映像を表示することで静止画の切り替えだけでなく、動画の表示による表示変更を行ってもよい。また、タイムスライスの間隔を１／６０秒程度と上記したが、他の一定の時間間隔または傾きの変化量に比例するなどの可変な時間間隔を取っても構わない。
【００５２】
次に本実施の形態の動作を具体的な二つの例を元に説明する。
【００５３】
（例１）
この例では画像データ情報として自動車の任意の角度からの映像を準備する。準備した映像の一部を図５（ｂ）に示す。機器のＬＣＤ６０１には自動車の上部からの映像が、ユーザに対して手前に車体の前方を向けて表示されているとする（５０４）。ステップ７０２でユーザがボタン２（６０３）を押していると判定された場合、ステップ７０３で機器の傾きの変化が検出される。もし、それまで机上で水平状態にあった機器の手前を上部へ持ち上げた結果として、機器の奥側のスイッチ６０４のみのＯＮ状態へと変化した場合、ステップ７０４で表示自動車画像を機器の傾きの変化と同じ方向に９０度傾ける。また、それまで奥側を持ち上げて手前のスイッチ６０４のみＯＮの状態にあった機器の奥側を机上へと降ろした結果として、四辺のスイッチ６０４が全てＯＮ状態に変化した場合でも同様にステップ７０４で表示自動車画像を機器を降ろした方向に９０度傾ける。このことにより自動車の前方からの視点で車を眺める映像を表示する（図５（ｂ）の５０５）。他方向についても同様に、機器の傾きの変化方向と同方向に９０度表示画像を傾ける。また、ステップ７０２でボタン２（６０３）が押されておらず、ステップ７０５でボタン１（６０２）が押されたことが判定された場合、ステップ７０６において自動車の下部からの映像を表示する。
【００５４】
（例２）
この例でも画像データ情報として自動車の任意の角度からの映像を準備する。準備した映像の一部を図５（ｂ）に示す。機器のＬＣＤ６０１には自動車の上部からの映像が、ユーザに対して手前に車体の前方を向けて表示されているとする（５０４）。ステップ７０２でユーザがボタン２（６０３）を押していると判定された場合、ステップ７０３で機器の傾きの変化が検出される。もし、機器の手前を上部へ持ち上げた結果として、機器の奥側のスイッチ６０４のみのＯＮ状態へと変化した場合、ステップ７０４で表示自動車画像を機器の傾きと逆方向に９０度傾ける。また、それまで奥側を持ち上げて手前のスイッチ６０４のみＯＮの状態にあった機器の奥側を机上へと降ろした結果として、四辺のスイッチ６０４が全てＯＮ状態に変化した場合でも同様にステップ７０４で表示自動車画像を機器を降ろしたのとは逆方向に９０度傾ける。このことにより自動車に対して後方に９０度視点が移動したのと同様の表示変更が行われる。ただし、画像は上下逆となる（図５（ｂ）の５０６）。また、ステップ７０２でボタン２（６０３）が押されておらず、ステップ７０５でボタン１（６０２）が押されたことが判定された場合は例１と同様である。
【００５５】
以上のように本実施の形態によれば、機器の傾きの変化を機器の裏面に配置したスイッチにより検出し、機器の傾きの変化情報に基づいて表示画像を変化させることにより、（例１）のようにユーザが表示画像の覗き込みたい方向に視点が移るように傾けることで、望みの表示画像を表示することができ、（例２）のように機器を表示画像に対する表示窓そのものと見なして、視点を変化させた表示を行うことができる。
【００５６】
なお、本実施の形態では、傾き検出手段は、傾きの変化を検出するとしたが、必ずしもこれに限らず、傾き又は傾きと傾きの変化を検出するとしてもよい。要するに、傾き検出手段は、傾きに関する情報を検出するものであれば良い。
【００５７】
また、本実施の形態では、ボタン２（６０３）を押している間のみ傾きを検出するようにしたが、必ずしもこれに限らず、ボタンを押していない間でも常時検出するなどの方法を用いても構わない。
【００５８】
また、本実施の形態では、画像表示装置は、本実施の形態で説明した動作の処理を行うプログラムと、第１の実施の形態と同様のコンピュータとによって、ソフト的に構成されるとしたが、必ずしもこれに限らず、画像表示装置の各構成要素は、ハード的に構成されるとしてもよい。
【００５９】
（第４の実施の形態）
以下に本発明の第４の実施の形態について、図面を参照しながら説明する。本実施の形態の対象は第１の実施の形態と同じである。
【００６０】
本実施の形態におけるシステム構成は、第１の実施の形態のシステム構成を機器本体とした場合、機器本体と接触する、あるいは機器本体を支持する機器補助手段を有し、傾き検出手段として機器補助手段と機器本体とのその接触部若しくはその支持部の状態変化を検出することのみが第１の実施の形態と異なり、他の構成は第１の実施の形態と共通する。ここで、接触部又は支持部とは、本実施の形態では、図８の支持部８０７をいう。
【００６１】
図８は本実施の形態に係る画像表示装置の斜視図であり、その画像表示装置は携帯型データ・ビュアーを示す。本実施の形態の機器本体８０４の形態は第１の実施の形態と共通する。機器本体８０４は機器補助手段である筐体８０５に緩衝部８０６と支持部８０７によって支持されている。本実施の形態の傾き検出手段は、緩衝部８０６または支持部８０７に設置された複数のスイッチである（図示されていない）。ここで、スイッチは既存のものを利用して構わない。
【００６２】
ここで、機器補助手段である筐体８０５は、本発明の画像表示手段の支持手段に該当する。
【００６３】
次に本実施の形態の動作を説明する。
【００６４】
画像の表示変更処理の流れ図は第３の実施の形態と共通の図７である。処理では、まずステップ７０２でボタン２（８０３）が押されているかどうかを判定する。もし押されているならば、ステップ７０３で傾き検出手段であるスイッチの変化を調べて機器本体８０４の傾きの変化が検出されたかどうかを判定する。傾きの変化は、複数のスイッチＯＮ／ＯＦＦ状態の間を推移する。機器本体８０４が水平に置かれている場合、スイッチは初期状態であり、機器本体８０４をいずれかの方向に押し下げた場合、いくつかのスイッチの状態が変更されることで判定する。ステップ７０３で機器本体８０４の傾きの変化が検出された場合、その変化に対応させて表示画像の傾きを変化させ、処理を終了する。ステップ７０３で機器本体８０４の傾きの変化が検出されなかった場合、そのまま処理を終了する。ステップ７０２でボタン２（８０３）が押されていない場合、ステップ７０５でボタン１（８０２）が押されたかどうかを判定する。もし押されていなければそのまま処理を終了し、押されたならば画像の表裏反転を行い、処理を終了する。
【００６５】
なお、図７の処理を１／６０秒程度のタイムスライスで実行するか、あるいはβだけ表示画像を傾ける際に、間を補完する映像を表示することで静止画の切り替えだけでなく、動画の表示による表示変更を行ってもよい。また、タイムスライスの間隔を１／６０秒程度と上記したが、他の一定の時間間隔または傾きの変化量に比例するなどの可変な時間間隔を取っても構わない。
【００６６】
次に本実施の形態の動作を具体的な二つの例を元に説明する。
【００６７】
（例１）
この例では画像データ情報として自動車の任意の角度からの映像を準備する。準備した映像の一部を第３の実施の形態と共通して図５（ｂ）に示す。機器のＬＣＤ８０１には自動車の上部からの映像がユーザに対して手前に車体の前方を向けて表示されているとする（５０４）。ステップ７０２でユーザがボタン２（８０３）を押していると判定された場合、ステップ７０３で機器本体８０４の傾きの変化が検出される。もし、それまで水平状態であった機器本体８０４の奥側を下部へ押し下げた結果として、機器の奥側のスイッチのみがＯＮ状態へと変化した場合、ステップ７０４で表示自動車画像を機器本体８０４の傾きの変化と同じ方向に９０度傾ける。また、それまで手前を押し下げて手前のスイッチのみＯＮの状態にあった機器本体８０４の手前を持ち上げた結果として、スイッチが全てＯＦＦ状態に変化した場合でも同様にステップ７０４で表示自動車画像を機器本体８０４を持ち上げた方向に９０度傾ける。ここで、機器本体８０４を押し下げるユーザの圧力を抜けば緩衝部８０６により自動的に持ち上がる。このことにより自動車の前方からの視点で車を眺める映像を表示する（５０５）。他方向についても同様に機器本体８０４の傾きの変化方向と同方向に９０度表示画像を傾ける。また、ステップ７０２でボタン２（８０３）が押されておらず、ステップ７０５でボタン１（８０２）が押されたことが判定された場合、ステップ７０６において自動車の下部からの映像を表示する。
【００６８】
（例２）
この例でも画像データ情報として自動車の任意の角度からの映像を準備する。準備した映像の一部を第３の実施の形態と共通して図５（ｂ）に示す。機器のＬＣＤ８０１には自動車の上部からの映像がユーザに対して手前に車体の前方を向けて表示されているとする（５０４）。ステップ７０２でユーザがボタン２（８０３）を押していると判定された場合、ステップ７０３で機器本体８０４の傾きの変化が検出される。もし、それまで水平状態であった機器本体８０４の奥側を下部へ押し下げた結果として、機器の奥側のスイッチのみがＯＮ状態へと変化した場合、ステップ７０４で表示自動車画像を機器本体８０４の傾きの変化と逆方向に９０度傾ける。また、それまで手前を押し下げて手前のスイッチのみＯＮの状態にあった機器本体８０４の手前を持ち上げた結果として、スイッチが全てＯＦＦ状態に変化した場合でも、同様にステップ７０４で表示自動車画像を機器本体８０４を持ち上げたのとは逆方向に９０度傾ける。このことにより自動車に対して後方に９０度視点が移動したのと同様の表示変更が行われる（５０６）。また、ステップ７０２でボタン２（８０３）が押されておらず、ステップ７０５でボタン１（８０２）が押されたことが判定された場合は例１と同様である。
【００６９】
以上のように本実施の形態によれば、機器本体の傾きの変化を機器本体を支持する機器補助手段に配置したスイッチにより検出し、機器本体８０４の傾きの変化情報に基づいて表示画像を変化させることにより、（例１）のようにユーザが表示画像の覗き込みたい方向に視点が移るように傾けることで、望みの表示画像を表示することができ、（例２）のように機器を表示画像に対する表示窓そのものと見なして、視点を変化させた表示を行うことができる。
【００７０】
なお、本実施の形態では、傾き検出手段は、傾きの変化を検出するとしたが、必ずしもこれに限らず、傾き又は傾きと傾きの変化を検出するとしてもよい。要するに、傾き検出手段は、傾きに関する情報を検出するものであれば良い。
【００７１】
また、本実施の形態では、ボタン２（８０３）を押している間のみ傾きを検出するようにしたが、必ずしもこれに限らず、ボタンを押していない間でも常時検出したり、底面に本体を持ち上げた状態を検出するセンサを取り付けた上で持ち上げた状態と判定した時にのみ傾きを検出するなどの方法を用いても構わない。
【００７２】
また、本実施の形態では、画像表示装置は、本実施の形態で説明した動作の処理を行うプログラムと、第１の実施の形態と同様のコンピュータとによって、ソフト的に構成されるとしたが、必ずしもこれに限らず、画像表示装置の各構成要素は、ハード的に構成されるとしてもよい。
【００７３】
（第５の実施の形態）
以下に本発明の第５の実施の形態について、図面を参照しながら説明する。本実施の形態は携帯型のデータ・ビュアーを対象に、表示される画像の表示を変化させる働きを持つ。
【００７４】
図９は本実施の形態のシステム構成を示す図である。機器による画像情報の表示は表示手段である表示装置９０１によって行われ、機器の加速度及び加速度の変化の検出は加速度検出手段９０２によって行われる。表示装置９０１に表示する画像情報は画像データ情報９０４として記憶装置９０３に格納され、ユーザから機器に対する命令の入力は入力装置９０７を介して行われる。これらの装置及び手段は、中央処理装置（ＣＰＵ）９０５とシステムバス９０８によって接続され、ＣＰＵ９０５は表示変更手段９０６の実行と各装置及び手段の制御を行う。
【００７５】
図１０は本実施の形態に係る画像表示装置の斜視図であり、携帯型データ・ビュアーを示す。本実施の形態は、上記システム構成において、表示装置９０１としてＬＣＤ（１００１）、加速度検出手段９０２として機器に内蔵した加速度センサ、入力装置９０７としてボタン（１００２）をそれぞれ用いる。ここで、ボタン（１００２）は押している間のみ、その間の機器の加速度に対応させて表示変更手段を実行するためのボタンである。
【００７６】
ここで、図９の表示装置９０１は、本発明の画像表示装置の表示手段に該当する。図１０のＬＣＤ１００１は、同発明の画像表示面に該当し、同発明の表示手段に含まれる。加速度検出手段９０２は、同発明の変化検出手段に該当する。
【００７７】
次に本実施の形態の動作を説明する。
【００７８】
図１１は画像の表示変更処理の流れ図である。処理では、まずステップ１１０２でボタン（１００２）が押されているかどうかを判定する。もし押されているならば、ステップ１１０３で機器の加速度、及び加速度の変化が加速度検出手段１００２（加速度センサ）によって検出されたかどうかを判定する。ここで加速度センサによる加速度の検出は既存の手法を用いて構わない。ステップ１１０３で機器の加速度及び加速度の変化が検出された場合、検出結果に対応させて表示画像を移動させ、処理を終了する。ここで、機器の移動距離は検出された加速度δを積分することで速度を求め、速度を積分することで求めるなど既存の方法を用いて良い。そして、表示画像の移動距離εは使用感がよくなるように機器の移動距離Ｄ（δ）を定数倍する以下の式によって求める。
【００７９】
ε＝Ｃ×Ｄ（δ）  （Ｃ：定数）
ステップ１１０３で機器の加速度及び加速度の変化が検出されなかった場合、そのまま処理を終了する。ステップ１１０２でボタン（１００２）が押されていない場合もそのまま処理を終了する。
【００８０】
なお、図１１の処理を１／６０秒程度のタイムスライスで実行するか、あるいは表示画像を移動する際に、間を補完する映像を表示することで静止画の切り替えだけでなく、動画の表示による表示変更を行ってもよい。また、タイムスライスの間隔を１／６０秒程度と上記したが、他の一定の時間間隔または加速度の変化量に比例するなどの可変な時間間隔を取っても構わない。
【００８１】
次に本実施の形態の動作を具体的な二つの例を元に説明する。
【００８２】
（例１）
この例では画像データ情報として自動車の任意の角度からの映像を準備する。また、表示画像の移動距離計算法として
ε＝ｃ×Ｄ（δ）  （ｃ＝１０（画素／ｃｍ））
を用いるとする。ここで、Ｄ（δ）は加速度から計算された機器の移動距離（ｃｍ）とする。機器のＬＣＤ１００１には自動車の上部からの映像がユーザに対して手前に車体の前方を向けて表示されているとする。ステップ１１０２でユーザがボタン（１００３）を押していると判定された場合、ステップ１１０３で機器の加速度及び加速度の変化が検出される。もし、機器をユーザに対して手前に移動し、加速度から計算した結果の移動距離が２０ｃｍの場合、
ε＝１０×２０＝２００（画素）
となり、ステップ１１０４で表示自動車画像を機器の手前に２００画素分移動する。他方向についても同様に機器の移動方向と同方向に表示移動する。
【００８３】
（例２）
この例でも画像データ情報として自動車の任意の角度からの映像を準備する。また、表示画像の移動距離計算法として
ε＝ｃ×Ｄ（δ）  （ｃ＝−１０（画素／ｃｍ））
を用いるとする。ここで、Ｄ（δ）は加速度から計算された機器の移動距離（ｃｍ）とする。機器のＬＣＤ１００１には自動車の上部からの映像がユーザに対して手前に車体の前方を向けて表示されているとする。ステップ１１０２でユーザがボタン（１００２）を押していると判定された場合、ステップ１１０３で機器の加速度の変化が検出される。もし、機器をユーザに対して手前に移動し、加速度から計算した結果の移動距離が２０ｃｍの場合、
ε＝−１０×２０＝−２００（画素）
となり、ステップ１１０４で表示自動車画像を機器の奥方向に２００画素分移動する。他方向についても同様に機器の移動方向と逆方向に表示移動する。
【００８４】
以上のように、本実施の形態によれば、機器の加速度の変化を加速度センサにより検出し、機器の加速度の変化情報に基づいて表示画像を移動させることにより、（例１）のようにユーザが表示画像を追いやりたい方向に移るように機器を動かすことで、望みの方向に表示画像を移動でき、（例２）のように機器を表示画像に対する表示窓そのものと見なして、表示位置を変化させた表示を行うことができる。
【００８５】
なお、本実施の形態では、加速度検出手段は、加速度の変化を検出するとしたが、必ずしもこれに限らず、加速度そのもの、または加速度及び加速度の変化の両方を検出するとしてもよい。要するに、加速度検出手段は、加速度に関する情報を検出するものであれば良い。
【００８６】
また、本実施の形態では、ボタン（１００２）を押している間のみ加速度を検出するようにしたが、ボタンを押していない間でも常時検出したり、底面に本体を持ち上げた状態を検出するセンサを取り付けた上で持ち上げた状態と判定した時にのみ加速度を検出するなどの方法を用いても構わない。
【００８７】
また、本実施の形態では、画像表示装置は、本実施の形態で説明した動作の処理を行うプログラムと、第１の実施の形態と同様のコンピュータとによって、ソフト的に構成されるとしたが、必ずしもこれに限らず、画像表示装置の各構成要素は、ハード的に構成されるとしてもよい。
【００８８】
（第６の実施の形態）
以下に本発明の第６の実施の形態について、図面を参照しながら説明する。本実施の形態の対象は第５の実施の形態と共通である。
【００８９】
本実施の形態におけるシステム構成は、第５の実施の形態のシステム構成を機器本体とした場合、機器本体と接触する、あるいは機器本体を支持する機器補助手段を有し、加速度検出手段として機器補助手段と機器本体とのその接触部若しくはその支持部の状態変化を検出することのみが第５の実施の形態と異なり、他の構成は第５の実施の形態と共通する。ここで、接触部又は支持部とは、本実施の形態では、図１２の緩衝部１２０５をいう。
【００９０】
図１２は本実施の形態に係る画像表示装置の斜視図であり、携帯型データ・ビュアーを示す。本実施の形態の機器本体１２０３の形態は第５の実施の形態の機器と共通する。機器本体１２０３は機器補助手段である筐体１２０４に緩衝部１２０５によって支持されている。本実施の形態の加速度検出手段は、緩衝部１２０５に設置された圧力センサである。ここで、圧力センサは既存のものを利用して構わない。
【００９１】
ここで、機器補助手段である筐体１２０４は、本発明の画像表示装置の支持手段に該当する。
【００９２】
次に本実施の形態の動作を説明する。
【００９３】
画像の表示変更処理の流れ図は第６の実施の形態と共通の図１１である。処理では、まずステップ１１０２でボタン（１２０２）が押されているかどうかを判定する。もし押されているならば、ステップ１１０３で機器本体１２０３の加速度、及び加速度の変化が加速度検出手段９０２（圧力センサ）によって検出されたかどうかを判定する。ここで圧力センサで計測された圧力の変化から本来機器本体１２０３にかかるべき加速度を推定するには既存の手法を用いて構わない。ステップ１１０３で機器本体１２０３の加速度及び加速度の変化が検出された場合、検出結果に対応させて表示画像を移動させ、処理を終了する。ここで、表示画像の移動距離の求め方は第５の実施の形態と共通である。ステップ１１０３で機器本体１２０３の加速度及び加速度の変化が検出されなかった場合、そのまま処理を終了する。ステップ１１０２でボタン（１２０３）が押されていない場合もそのまま処理を終了する。
【００９４】
なお、図１１の処理を１／６０秒程度のタイムスライスで実行するか、あるいは表示画像を移動する際に、間を補完する映像を表示することで静止画の切り替えだけでなく、動画の表示による表示変更を行ってもよい。また、タイムスライスの間隔を１／６０秒程度と上記したが、他の一定の時間間隔または加速度の変化量に比例するなどの可変な時間間隔を取っても構わない。
【００９５】
次に第６の実施の形態の動作を具体的な二つの例を元に説明する。
【００９６】
（例１）
この例では画像データ情報として自動車の任意の角度からの映像を準備する。また、表示画像の移動距離計算法として
ε＝ｃ×Ｄ（δ）  （ｃ＝１０（画素／ｃｍ））
を用いるとする。ここで、Ｄ（δ）は圧力から推定した加速度から計算された機器本体１２０３の移動距離（ｃｍ）とする。機器のＬＣＤ１２０１には自動車の上部からの映像がユーザに対して手前に車体の前方を向けて表示されているとする。ステップ１１０２でユーザがボタン（１２０２）を押していると判定された場合、ステップ１１０３で緩衝部１２０５の圧力センサにより機器本体１２０３の加速度及び加速度の変化が検出される。もし、機器本体１２０３をユーザに対して手前に移動し、緩衝部１２０５にかかる圧力から求められた加速度からさらに計算した結果の移動距離が２０ｃｍの場合、
ε＝１０×２０＝２００（画素）
となり、ステップ１１０４で表示自動車画像を機器の手前に２００画素分移動する。他方向についても同様に機器本体１２０３の移動方向と同方向に表示移動する。
【００９７】
（例２）
この例でも画像データ情報として自動車の任意の角度からの映像を準備する。また、表示画像の移動距離計算法として
ε＝ｃ×Ｄ（δ）  （ｃ＝−１０（画素／ｃｍ））
を用いるとする。ここで、Ｄ（δ）は圧力から推定した加速度から計算された機器本体１２０３の移動距離（ｃｍ）とする。機器のＬＣＤ１２０１には自動車の上部からの映像がユーザに対して手前に車体の前方を向けて表示されているとする。ステップ１１０２でユーザがボタン（１２０２）を押していると判定された場合、ステップ１１０３で緩衝部１２０５の圧力センサにより機器本体１２０３の加速度及び加速度の変化が検出される。もし、機器本体１２０３をユーザに対して手前に移動し、緩衝部１２０５にかかる圧力から求められた加速度からさらに計算した結果の移動距離が２０ｃｍの場合、
ε＝−１０×２０＝−２００（画素）
となり、ステップ１１０４で表示自動車画像を機器の奥方向に２００画素分移動する。他方向についても同様に機器本体１２０３の移動方向と逆方向に表示移動する。
【００９８】
以上のように本実施の形態によれば、機器本体の加速度の変化を筐体と機器本体の間の圧力変化を求めることで検出し、機器の加速度の変化情報に基づいて表示画像を移動させることにより、（例１）のようにユーザが表示画像を追いやりたい方向に移るように機器を動かすことで、望みの方向に表示画像を移動でき、（例２）のように機器を表示画像に対する表示窓そのものと見なして、表示位置を変化させた表示を行うことができる。
【００９９】
なお、本実施の形態では、加速度検出手段は、加速度の変化を検出するとしたが、必ずしもこれに限らず、加速度そのもの、または加速度及び加速度の変化の両方を検出するとしてもよい。要するに、加速度検出手段は、加速度に関する情報を検出するものであれば良い。
【０１００】
また、本実施の形態では、ボタン（１２０２）を押している間のみ加速度を検出するようにしたが、ボタンを押していない間でも常時検出したり、底面に本体を持ち上げた状態を検出するセンサを取り付けた上で持ち上げた状態と判定した時にのみ加速度を検出するなどの方法を用いても構わない。
【０１０１】
また、本実施の形態では、画像表示装置は、本実施の形態で説明した動作の処理を行うプログラムと、第５の実施の形態、即ち第１の実施の形態と同様のコンピュータとによって、ソフト的に構成されるとしたが、必ずしもこれに限らず、画像表示装置の各構成要素は、ハード的に構成されるとしてもよい。
【０１０２】
（第７の実施の形態）
以下に本発明の第７の実施の形態について、図面を参照しながら説明する。本実施の形態は携帯型のゲーム機を対象に、表示される画像の表示を変化させる働きを持つ。
【０１０３】
図１４は本実施の形態のシステム構成を示す図である。機器による画像情報の表示は表示手段である表示装置１４０１によって行われ、機器の傾きの変化の検出は傾き検出手段１４０２によって行われる。表示装置１４０１に表示する画像情報は画像データ情報１４０４として記憶装置１４０３に格納され、同時に記憶装置１４０３は表示変更手段１４０６をプログラムの形で格納する。ユーザから機器に対する命令の入力は入力装置１４０７を介して行われる。傾き検出手段１４０２及び記憶装置１４０３は機器に対して着脱可能な着脱カートリッジ１４１０に格納されており、着脱カートリッジ１４１０は着脱端子１４０９によって機器のシステムバス１４０８に接続されている。これらの装置及び手段は中央処理装置（ＣＰＵ）１４０５とシステムバス１４０８及び着脱端子１４０９によって接続され、ＣＰＵ１４０５は表示変更手段１４０６のプログラムの実行と各装置及び手段の制御を行う。
【０１０４】
図１５は、本実施の形態に係る画像表示装置の斜視図であり、携帯型ゲーム機を示す。本実施の形態は、上記システム構成において、表示装置１４０１としてＬＣＤ（１５０１）、機器に内蔵した傾きセンサ、入力装置１４０７としてボタン１（１５０２）、ボタン２（１５０３）をそれぞれ用いる。ここで、ボタン１（１５０２）は表示変更手段によって画像を表裏反転するためのボタンであり、ボタン２（１５０３）は押している間のみ、その間の機器の傾きの変化に対応させて表示変更手段を実行するためのボタンである。機器は、カートリッジ１５０４を装着する着脱端子１４０９を備えており、装着したカートリッジ１５０４には、画像データ情報１４０４と、傾き検出手段１４０２及び表示変更手段１４０６のプログラムを記録したＲＯＭが格納されている。
【０１０５】
ここで、図１４の表示装置１４０１は、本発明の画像表示装置の表示手段に該当する。図１５のＬＣＤ１５０１は、同発明の画像表示面に該当し、同発明の表示手段に含まれる。着脱カートリッジ１４１０（又は図１５のカートリッジ１５０４）に格納された傾き検出手段１４０２と携帯型ゲーム機器に内蔵された傾きセンサとは、同発明の変化検出手段に該当する。
【０１０６】
なお、傾き検出手段１４０２と表示変更手段１４０６について補説すれば、これらは、本実施の形態で援用される傾き検出と表示変更の処理を行うプログラムと、それが起動されている際の実効プログラムによる演算処理及び制御等を行うＣＰＵ１４０５とそれとシステムバス１４０８を介して接続されているその実効プログラムの記憶及び作業領域等に使用されたりする記憶装置１４０３等を含むコンピュータとによって、ソフト的に構成されるものである。しかし、本実施の形態では、その描写の都合上、図１４に示すように、傾き検出手段１４０２と表示変更手段１４０６は、着脱カートリッジ１４１０に格納されているものとして描写した。
【０１０７】
本実施の形態の動作は第１の実施の形態と等しいので詳細は省略する。
【０１０８】
以上のように本実施の形態によれば、着脱可能なカートリッジに傾き検出手段と表示変更手段及び画像データを格納することにより、従来例のようなボタンやポインティングデバイスによる画像操作法しか利用できない機器に対して付加的に傾きによる直感的な操作を可能とすることが出来る。
【０１０９】
なお、傾き検出手段、表示変更手段、画像データのそれぞれ異なるカートリッジを取り替えることで、一つの機器本体において容易に複数の画像表示の方法を実現できることは言うまでもない。
【０１１０】
また、本実施の形態では、ボタン２を押している間のみ傾きを検出するようにしたが、ボタンを押していない間でも常時検出したり、底面に本体を持ち上げた状態を検出するセンサを取り付けた上で持ち上げた状態と判定した時にのみ傾きを検出するなどの方法を用いても構わない。
【０１１１】
また、本発明の各手段は、それら各機能を有するハード回路を用いて実現しても良いし、コンピュータを用いてソフトウェア的に実現しても良い。
【０１１２】
また、本実施の形態では、画像表示装置は、本実施の形態で援用された動作の処理を行うプログラムと、それが起動されている際の実効プログラムによる演算処理及び制御等を行うＣＰＵ１４０５とそれとシステムバス１４０８を介して接続されているその実効プログラムの記憶及び作業領域等に使用される記憶装置１４０３を含むコンピュータとにより、ソフト的に構成されるとしたが、必ずしもこれに限らず、画像表示装置の各構成要素は、ハード的に構成されるとしてもよい。
【０１１３】
また、本実施の形態では、着脱カートリッジ１４１０（又はカートリッジ１５０４）が、傾き検出手段１４０２のプログラムを記憶したＲＯＭを格納し、機器本体が傾きセンサを内蔵しているとしたが、必ずしもこれに限らず、着脱カートリッジ１４１０（又はカートリッジ１５０４）が、傾き検出手段１４０２のプログラムを記憶したＲＯＭと傾きセンサとの両方を格納するとしてもよい。要するに、本発明の画像表示装置では、カートリッジは、変化検出手段及び／又は表示変更手段の全部又は一部を格納するもので有れば良い。
【０１１４】
（第８の実施の形態）
以下に本発明の第８の実施の形態について、図面を参照しながら説明する。本実施の形態は携帯型のゲーム機を対象に、表示される画像の表示を変化させる働きを持つ。
【０１１５】
図１６は本実施の形態のシステム構成を示す図である。機器による画像情報の表示は表示手段である表示装置１６０１によって行われ、機器の加速度の変化の検出は加速度検出手段１６０２によって行われる。表示装置１６０１に表示する画像情報は画像データ情報１６０４として記憶装置１６０３に格納され、同時に記憶装置１６０３は表示変更手段１６０６をプログラムの形で格納する。ユーザから機器に対する命令の入力は入力装置１６０７を介して行われる。加速度検出手段１６０２及び記憶装置１６０３は機器に対して着脱可能な着脱カートリッジ１６１０に格納されており、着脱カートリッジ１６１０は着脱端子１６０９によって機器のシステムバス１６０８に接続されている。これらの装置及び手段は中央処理装置（ＣＰＵ）１６０５とシステムバス１６０８及び着脱端子１６０９によって接続され、ＣＰＵ１６０５は表示変更手段１６０６のプログラムの実行と各装置及び手段の制御を行う。
【０１１６】
図１７は本実施の形態にかかる画像表示装置の斜視図であり、携帯型ゲーム機を示す。本実施の形態は、上記システム構成において、表示装置１６０１としてＬＣＤ（１７０１）、機器に内蔵した加速度センサ、入力装置１６０７としてボタン１７０２をそれぞれ用いる。ここで、ボタン１７０２は押している間のみ、その間の機器の加速度の変化に対応させて表示変更手段を実行するためのボタンである。機器は、カートリッジ１７０３を装着する着脱端子１６０９を備えており、装着したカートリッジ１７０３には、画像データ情報１６０４と、加速度検出手段１６０２及び表示変更手段１６０６のプログラムを記録したＲＯＭとが格納されている。
【０１１７】
ここで、図１６の表示装置１６０１は、本発明の画像表示装置の表示手段に該当する。図１７のＬＣＤ１７０１は、同発明の画像表示面に該当し、同発明の表示手段に含まれる。図１６の着脱カートリッジ１６１０（又は図１７のカートリッジ１７０３）に格納された加速度検出手段１６０２と携帯型ゲーム機器に内蔵された加速度センサとは、同発明の変化検出手段に該当する。
【０１１８】
なお、加速度検出手段１６０２と表示変更手段１６０６について補説すれば、これらは、本実施の形態で援用される加速度検出と表示変更の処理を行うプログラムと、それが起動されている際の実効プログラムによる演算処理及び制御等を行うＣＰＵ１６０５とそれとシステムバス１６０８を介して接続されているその実効プログラムの記憶及び作業領域等に使用されたりする記憶装置１６０３等を含むコンピュータとによって、ソフト的に構成されるものである。しかし、本実施の形態では、その描写の都合上、図１６に示すように、加速度検出手段１６０２と表示変更手段１６０６は、着脱カートリッジ１６１０に格納されているものとして描写した。
【０１１９】
本実施の形態の動作は第５の実施の形態と等しいので詳細は省略する。
【０１２０】
以上のように本実施の形態によれば、着脱可能なカートリッジに加速度検出手段と表示変更手段及び画像データを格納することにより、従来例のようなボタンやポインティングデバイスによる画像操作法しか利用できない機器に対して付加的に加速度による直感的な操作を可能とすることが出来る。
【０１２１】
なお、加速度検出手段、表示変更手段、画像データのそれぞれ異なるカートリッジを取り替えることで、一つの機器本体において容易に複数の画像表示の方法を実現できることは言うまでもない。
【０１２２】
また、本実施の形態では、ボタン（１７０２）を押している間のみ加速度を検出するようにしたが、ボタンを押していない間でも常時検出したり、底面に本体を持ち上げた状態を検出するセンサを取り付けた上で持ち上げた状態と判定した時にのみ加速度を検出するなどの方法を用いても構わない。
【０１２３】
また、本実施の形態では、画像表示装置は、本実施の形態で援用された動作の処理を行うプログラムと、それが起動されている際の実効プログラムによる演算処理及び制御等を行うＣＰＵ１６０５とそれとシステムバス１６０８を介して接続されているその実効プログラムの記憶及び作業領域等に使用される記憶装置１６０３を含むコンピュータとにより、ソフト的に構成されるとしたが、必ずしもこれに限らず、画像表示装置の各構成要素は、ハード的に構成されるとしてもよい。
【０１２４】
また、本実施の形態では、着脱カートリッジ１６１０（またはカートリッジ１７０３）が、加速度検出手段１６０２のプログラムを記憶したＲＯＭを格納し、機器本体が加速度センサを内蔵しているとしたが、必ずしもこれに限らず、着脱カートリッジ１６１０（またはカートリッジ１７０３）が、加速度検出手段１６０２のプログラムを記憶したＲＯＭと加速度センサとの両方を格納するとしてもよい。要するに、本発明の画像表示装置では、カートリッジは、変化検出手段及び／又は表示変更手段の全部又は一部を格納するもので有れば良い。
【０１２５】
（第９の実施の形態）
以下に本発明の第９の実施の形態について、図面を参照しながら説明する。本実施の形態は携帯型のデータ・ビュアーを対象に、表示される画像の表示を変化させる働きを持つ。
【０１２６】
図１８は本実施の形態のシステム構成を示す図である。機器による画像情報の表示は表示手段である表示装置１８０１によって行われ、機器の傾きの変化の検出は傾き検出手段１８０２によって行われる。時間経過検出手段であるタイマー１８１１によって時系列的に検出された傾き検出結果は時系列記憶手段に格納される。時系列記憶手段は記憶装置１８０３とその中に格納された傾き時系列情報１８０９の形で実現される。表示装置１８０１に表示する画像情報は画像データ情報１８０４として記憶装置１８０３に格納され、ユーザから機器に対する命令の入力は入力装置１８０７を介して行われる。表示変更手段１８０６は、傾き時系列情報１８０９を、時系列と対応する画像変更のルールデータである時系列ルール１８１０と対応させ、対応する画像変更を行う。これらの装置及び手段は中央処理装置（ＣＰＵ）１８０５とシステムバス１８０８によって接続され、ＣＰＵ１８０５は表示変更手段１８０６の実行と各装置及び手段の制御を行う。ただし、本実施の形態では、便宜上、表示変更手段１８０６は、ＣＰＵ１８０５にあるものとしたが、もう少し詳しく書けば、この表示変更手段１８０６は、本実施の形態で説明する表示変更の処理を行うプログラムと、それが起動されている際の実効プログラムによる演算処理及び制御等を行うＣＰＵ１８０５とそれとシステムバス１８０８を介して接続されているその実効プログラムの記憶及び作業領域等に使用される記憶装置１８０３を含むコンピュータとによって、ソフト的に構成されるものである。また、傾き検出手段１８０２による処理についても同様である。
【０１２７】
本実施の形態の実現携帯は、内部にタイマー１８１１と傾き時系列情報１８０９及び時系列ルール１８１０を有する以外は第１の実施の形態に等しいので詳細は省略する（図２参照）。
【０１２８】
ここで、表示装置１８０１は、本発明の画像表示装置の表示手段に該当する。傾き検出手段１８０２は同発明の変化検出手段に該当し、タイマー１８１１は同発明の時間経過検出手段に該当し、そして記憶装置１８０３の傾き時系列情報１８０９は同発明の変化時系列記憶手段に該当する。
【０１２９】
次に本実施の形態の動作を画像の表示変更処理の流れ図を示す図１９を用いて説明する。処理では、まずステップ１９０２でボタン２（２０３）が押されているかどうかを判定する。もし押されているならば、ステップ１９０５で機器の傾きの変化αが傾き検出手段１８０２（傾きセンサ）によって検出されたかどうかをタイマー１８１１で定期的に判定する。ここで傾きセンサによる傾きの変化の検出は既存の手法を用いて構わない。ステップ１９０５で機器の傾きの変化が検出された場合、ステップ１９０６で検出した傾きの変化を傾き時系列情報１８０９に追加する。ステップ１９０７で、傾き時系列情報１８０９と時系列ルール１８１０の照合を行い、検出した傾きの変化の時系列に対応する時系列ルールが存在する場合は、ステップ１９０８で表示変更手段によって、対応した時系列ルールに従って表示画像を変更し、傾き時系列情報を空にした後、処理を完了する。ステップ１９０７で対応する時系列ルールが存在しなければ、ステップ１９０２に戻る。ステップ１９０５で機器の傾きの変化が検出されなかった場合もステップ１９０２に戻る。ステップ１９０２でボタン２（２０３）が押されていない場合、傾き時系列情報を空にした後、ステップ１９０３でボタン１（２０２）が押されたかどうかを判定する。もし押されていなければそのまま処理を終了し、押されたならばステップ１９０４で画像の反転処理を行い、処理を終了する。ここで、画像の反転処理では画面の単純に反転する以外の、上記のルールに従った画像変化に対する例外処理を行っても構わない。
【０１３０】
次に本実施の形態の動作を具体的な例を元に説明する。
【０１３１】
この例では画像データ情報として本や書類の様なページめくりを行う書類の映像を準備する。準備した映像の一部を図２０に示す。機器のＬＣＤ２０１には書類の４ページ目の映像がユーザに対して表示されているとする（２００１）。この機器をユーザがＬＣＤを手前にして所持しているとする。ここでステップ１９０２でユーザがボタン２（２０３）を押していると判定された場合、ステップ１９０５で機器の傾きの変化が検出される。例えば、機器上のＬＣＤの左側を下げる方向へ２０度傾けた場合、傾きの変化α＝２０°（左を下げる方向）をステップ１９０６で時系列情報１８０９に追加する。このようにして、傾きの変化の時系列情報１８０９は蓄積される。蓄積された傾き変化の時系列情報１８０９が図２１（ａ）のようになっているとする。図２１では傾きの変化は１／３０秒単位で計測されている。図２１（ａ）の時系列情報は機器を急に左に傾け、その後直ちに右に傾けることで、徐々に元の状態に戻すという動作を行ったことを表している。続いて、ステップ１９０７で傾きの変化の時系列情報１８０９と時系列ルール１８１０を照合する。ここで、時系列ルールの一例を図２２に示す。図２２の時系列ルールでは、左部の傾き変化の時系列情報グラフと類似する時系列情報が照合された場合に右部の表示変更方法を実行するものである。ここでは、図２１（ａ）の時系列情報と図２２の（ａ）のグラフが照合され、表示変更方法として「ページを次にめくる」が選択される。この結果、ステップ１９０８で表示変更手段１８０６によってページがめくられ、ＬＣＤ２０１の表示は書類の５ページ目の映像となる（２００２）。ここで、さらに機器を傾けると、新たに時系列情報１８０９が蓄積される。蓄積された傾き変化の時系列情報１８０９が、図２１（ｂ）のようになっているとする。図２１（ｂ）の時系列情報は機器を急に右に傾け、その後直ちに左に傾けることで徐々に元の状態に戻すという動作を行ったことを表している。すると、ステップ１９０７で傾きの変化の時系列情報１８０９と時系列ルール１８１０を照合する。ここでは、図２１（ｂ）の時系列情報と図２２の（ｂ）のグラフが照合されて、表示変更方法として「ページを前に戻す」が選択される。この結果、ステップ１９０８で表示変更手段１８０６によってページが戻され、ＬＣＤ２０１の表示は書類の４ページ目の映像となる（２００１）。また、ステップ１９０２でボタン２（２０３）が押されておらず、ステップ１９０３でボタン１（２０２）が押されたことが判定された場合、ステップ１９０４において反転処理を行う。但し、ここでは単純な反転処理でなく、例外処理として本を閉じた画像の表示を行う。
【０１３２】
以上のように本実施の形態によれば、機器の傾きの変化を傾きセンサにより検出し、機器の傾き変化の時系列情報を蓄積し、その傾き変化の時系列情報と時系列ルールを照合し、照合結果得られる表示変更方法に基づいて表示画像を変化させることにより、ボタンによらない自然な書類のページめくりのための作法を実現できる。
【０１３３】
なお、本実施の形態では、傾き検出手段は、傾きの変化を検出するとしたが、必ずしもこれに限らず、傾き又は傾きと傾きの変化を検出するとしてもよい。要するに、傾き検出手段は、傾きに関する情報を検出するものであれば良い。
【０１３４】
また、本実施の形態では、ボタン２（２０３）を押している間のみ傾きを検出するようにしたが、ボタンを押していない間でも常時検出したり、底面に本体を持ち上げた状態を検出するセンサを取り付けた上で持ち上げた状態と判定した時にのみ傾きを検出するなどの方法を用いても構わない。
【０１３５】
また、本実施の形態では、画像表示装置は、本実施の形態で説明した動作の処理を行うプログラムと、それが起動されている際の実効プログラムによる演算処理及び制御等を行うＣＰＵ１８０５とそれとシステムバス１８０８を介して接続されているその実効プログラムの記憶及び作業領域等に使用される記憶装置１８０３を含むコンピュータとにより、ソフト的に構成されるとしたが、必ずしもこれに限らず、画像表示装置の構成要素の各々は、ハード的に構成されるとしてもよい。
【０１３６】
（第１０の実施の形態）
以下に本発明の第１０の実施の形態について、図面を参照しながら説明する。本実施の形態は携帯型のデータ・ビュアーを対象に、表示される画像の表示を変化させる働きを持つ。
【０１３７】
図２３は本実施の形態のシステム構成を示す図である。機器による画像情報の表示は表示手段である表示装置２３０１によって行われ、機器の加速度の変化の検出は加速度検出手段２３０２によって行われる。時間経過検出手段であるタイマー２３１１によって、時系列的に検出された加速度検出結果は時系列記憶手段に格納される。時系列記憶手段は記憶装置２３０３とその中に格納された加速度時系列情報２３０９の形で実現される。表示装置２３０１に表示する画像情報は画像データ情報２３０４として記憶装置２３０３に格納され、ユーザから機器に対する命令の入力は入力装置２３０７を介して行われる。表示変更手段２３０６は、加速度時系列情報２３０９を、時系列と対応する画像変更のルールデータである時系列ルール２３１０と対応させ、対応する画像変更を行う。これらの装置及び手段は中央処理装置（ＣＰＵ）２３０５とシステムバス２３０８により接続され、ＣＰＵ２３０５は表示変更手段２３０６の実行と各装置及び手段の制御を行う。ただし、本実施の形態では、便宜上、表示変更手段２３０６は、ＣＰＵ２３０５にあるものとしたが、もう少し詳しく書けば、この表示変更手段２３０６は、本実施の形態で説明する表示変更の処理を行うプログラムと、それが起動されている際の実効プログラムによる演算処理及び制御等を行うＣＰＵ２３０５とそれとシステムバス２３０８を介して接続されているその実効プログラムの記憶及び作業領域等に使用される記憶装置２３０３を含むコンピュータとにより、ソフト的に構成されるものである。また、加速度検出手段２３０２による処理についても同様である。
【０１３８】
本実施の形態の実現携帯は、内部にタイマー２３１１と加速度時系列情報２３０９及び時系列ルール２３１０を有する以外は第１の実施の形態に等しいので詳細は省略する（図２参照）。
【０１３９】
ここで、表示装置２３０１は、本発明の画像表示装置の表示手段に該当する。加速度検出手段２３０２は同発明の変化検出手段に該当し、タイマー２３１１は同発明の時間経過検出手段に該当し、そして記憶装置２３０３の加速度時系列情報２３０９は同発明の変化時系列記憶手段に該当する。
【０１４０】
次に本実施の形態の動作を画像の表示変更処理の流れ図を示す図２４を用いて説明する。処理では、まずステップ２４０２でボタン２（２０３）が押されているかどうかを判定する。もし押されているならば、ステップ２４０５で機器の加速度の変化αが加速度検出手段２３０２（加速度センサ）によって検出されたかどうかをタイマー２３１１で定期的に判定する。ここで加速度センサによる加速度の変化の検出は既存の手法を用いて構わない。ステップ２４０５で機器の加速度の変化が検出された場合は、検出した加速度の変化をステップ２４０６で加速度時系列情報２３０９に追加する。ステップ２４０７で、加速度時系列情報２３０９と時系列ルール２３１０の照合を行い、検出した加速度の変化の時系列に対応する時系列ルールが存在する場合は、ステップ２４０８で表示変更手段によって、対応した時系列ルールに従って表示画像を変更し、加速度時系列情報を空にした後、処理を完了する。ステップ２４０７で対応する時系列ルールが存在しなければステップ２４０２に戻る。ステップ２４０５で機器の加速度の変化が検出されなかった場合もステップ２４０２に戻る。ステップ２４０２でボタン２（２０３）が押されていない場合、加速度時系列情報を空にした後、ステップ２４０３でボタン１（２０２）が押されたかどうかを判定する。もし押されていなければそのまま処理を終了し、押されたならばステップ２４０４で画像の反転処理を行い、処理を終了する。ここで、画像の反転処理では画面の単純に反転する以外の、上記のルールに従った画像変化に対する例外処理を行っても構わない。
【０１４１】
次に本実施の形態の動作を具体的な例を元に説明する。
【０１４２】
この例では画像データ情報として本や書類の様なページめくりを行う書類の映像を準備する。準備した映像の一部を図２０に示す。機器のＬＣＤ２０１には書類の４ページ目の映像がユーザに対して表示されているとする（２００１）。この機器をユーザがＬＣＤを手前にして所持しているとする。ここで、ステップ２４０２でユーザがボタン２（２０３）を押していると判定された場合、ステップ２４０５で機器の加速度の変化が検出される。例えば、機器を左側に加速した場合、左右方向の加速度の変化をステップ２４０６で時系列情報２３０９に追加する。このようにして加速度の変化の時系列情報２３０９は蓄積される。蓄積された加速度変化の時系列情報２３０９が図２５（ａ）のようになっているとする。図２５では加速度の変化は１／３０秒単位で計測されている。図２５（ａ）の時系列情報は機器を急に左に移動、その後直ちに右に移動することで元の位置に戻すという動作を行ったことを表している。続いて、ステップ２４０７で加速度の変化の時系列情報２３０９と時系列ルール２３１０を照合する。ここで、時系列ルールの一例を図２６に示す。この時系列ルールでは、左部の加速度変化の時系列情報グラフと類似する時系列情報が照合された場合に右部の表示変更方法を実行するものである。ここでは、図２５（ａ）の時系列情報と図２６の（ａ）のグラフが照合され、表示変更方法として「ページを次にめくる」が選択される。この結果、ステップ２４０８で表示変更手段２３０６によってページがめくられ、ＬＣＤ２０１の表示は書類の５ページ目の映像となる（２００２）。ここで、さらに機器を移動すると、新たに加速度変化の時系列情報２３０９が蓄積される。蓄積された加速度変化の時系列情報２３０９が図２５（ｂ）のようになっているとする。図２５（ｂ）の時系列情報は機器を急に右に移動し、その後直ちに左に移動することで徐々に元の状態に戻すという動作を行ったことを表している。すると、ステップ２４０７で加速度変化の時系列情報２３０９と時系列ルール２３１０を照合する。ここでは、図２５（ｂ）の時系列情報と図２６の（ｂ）のグラフが照合され、表示変更方法として、「ページを前に戻す」が選択される。この結果、ステップ２４０８で表示変更手段２３０６によってページが戻され、ＬＣＤ２０１の表示は書類の４ページ目の映像となる（２００１）。また、ステップ２４０２でボタン２（２０３）が押されておらず、ステップ２４０３でボタン１（２０２）が押されたことが判定された場合、ステップ２４０４において反転処理を行う。但し、ここでは単純な反転処理でなく、例外処理として本を閉じた画像の表示を行う。
【０１４３】
以上のように、本実施の形態によれば、機器の加速度の変化を加速度センサにより検出し、機器の加速度変化の時系列情報を蓄積し、その加速度変化の時系列情報と時系列ルールを照合し、照合結果得られる表示変更方法に基づいて表示画像を変化させることにより、ボタンによらない自然な書類のページめくりのための作法を実現できる。
【０１４４】
なお、本実施の形態では、加速度検出手段は、加速度の変化を検出するとしたが、必ずしもこれに限らず、加速度そのもの、または加速度及び加速度の変化の両方を検出するとしてもよい。要するに、加速度検出手段は、加速度に関する情報を検出するものであれば良い。
【０１４５】
また、本実施の形態では、ボタン２（２０３）を押している間のみ加速度を検出するようにしたが、ボタンを押していない間でも常時検出したり、底面に本体を持ち上げた状態を検出するセンサを取り付けた上で持ち上げた状態と判定した時にのみ加速度を検出するなどの方法を用いても構わない。
【０１４６】
また、本発明の各手段は、それら各機能を有するハード回路を用いて実現しても良いし、コンピュータを用いてソフトウェア的に実現しても良い。
【０１４７】
また、本実施の形態では、画像表示装置は、本実施の形態で説明した動作の処理を行うプログラムと、それが起動されている際の実効プログラムによる演算処理及び制御等を行うＣＰＵ２３０５とそれとシステムバス２３０８を介して接続されているその実効プログラムの記憶及び作業領域等に使用される記憶装置２３０３を含むコンピュータとによって、ソフト的に構成されるとしたが、必ずしもこれらに限らず、画像表示装置の各構成要素は、ハード的に構成されるとしてもよい。
【産業上の利用可能性】
【０１４８】
本発明の書類表示装置は、ユーザに対して自然な操作感があり、かつ携帯しながらでも容易に操作可能な効果を有し、小型のディスプレイを有する携帯電子機器等として有用である。
【図面の簡単な説明】
【０１４９】
【図１】本発明の第１の実施の形態に係る画像表示装置のシステム構成図
【図２】本発明の第１の実施の形態に係る画像処理装置の斜視図
【図３】本発明の第１の実施の形態の機器の状態変化と対応した表示画像の状態変化例を示す図
【図４】本発明の第１の実施の形態に係る画像表示装置の処理の流れ図
【図５】本発明の第１及び第３の実施の形態に係る画像表示装置により表示される画像データ情報の例を示す図
【図６】本発明の第３の実施の形態に係る画像処理装置の斜視図
【図７】本発明の第３の実施の形態に係る画像表示装置の処理の流れ図
【図８】本発明の第４の実施の形態に係る画像処理装置の斜視図及びその断面図
【図９】本発明の第５の実施の形態に係る画像表示装置のシステム構成図
【図１０】本発明の第５の実施の形態に係る画像処理装置の斜視図
【図１１】本発明の第５の実施の形態に係る画像表示装置の処理の流れ図
【図１２】本発明の第６の実施の形態に係る画像処理装置の斜視図及びその断面図
【図１３】従来の画像表示装置のシステム構成図
【図１４】本発明の第７の実施の形態に係る画像表示装置のシステム構成図
【図１５】本発明の第７の実施の形態に係る画像処理装置の斜視図
【図１６】本発明の第８の実施の形態に係る画像表示装置のシステム構成図
【図１７】本発明の第８の実施の形態に係る画像処理装置の斜視図
【図１８】本発明の第９の実施の形態に係る画像表示装置のシステム構成図
【図１９】本発明の第９の実施の形態に係る画像表示装置の処理の流れ図
【図２０】本発明の第９の実施の形態に係る画像表示装置により表示される画像データ情報の例を示す図
【図２１】本発明の第９の実施の形態に係る画像表示装置の傾き変化の時系列情報の例を示す図
【図２２】本発明の第９の実施の形態に係る画像表示装置の時系列ルールの例を示す図
【図２３】本発明の第１０の実施の形態に係る画像表示装置のシステム構成図
【図２４】本発明の第１０の実施の形態に係る画像表示装置の処理の流れ図
【図２５】本発明の第１０の実施の形態に係る画像表示装置の加速度変化の時系列情報の例を示す図
【図２６】本発明の第１０の実施の形態に係る画像表示装置の時系列ルールの例を示す図
【符号の説明】
【０１５０】
１０１、９０１、１４０１、１６０１、１８０１、２３０１  表示装置
１０２、１４０２、１８０２  傾き検出手段
９０２、１６０２、２３０２  加速度検出手段
１０３、９０３、１４０３、１６０３、１８０３、２３０３  記憶装置
１０４、９０４、１４０４、１６０４、１８０４、２３０４  画像データ情報  １０５、９０５、１４０５、
１６０５、１８０５、２３０５  ＣＰＵ（中央処理装置）
１０６、９０６、１４０６、１６０６、１８０６、２３０６  表示変更手段
１０７、９０７、１４０７、１６０７、１８０７、２３０７  入力装置
１０８、９０８、１４０８、１６０８、１８０８、２３０８  システムバス
１４０９、１６０９  着脱端子
１４１０、１６１０  着脱カートリッジ
１８０９  傾き時系列情報
２３０９  加速度時系列情報
１８１０、２３１０  時系列ルール
１８１１、２３１１  タイマー
【図１】
2006323859.tif 000003
【図２】
2006323859.tif 000004
【図３】
2006323859.tif 000005
【図４】
2006323859.tif 000006
【図５】
2006323859.tif 000007
【図６】
2006323859.tif 000008
【図７】
2006323859.tif 000009
【図８】
2006323859.tif 000010
【図９】
2006323859.tif 000011
【図１０】
2006323859.tif 000012
【図１１】
2006323859.tif 000013
【図１２】
2006323859.tif 000014
【図１３】
2006323859.tif 000015
【図１４】
2006323859.tif 000016
【図１５】
2006323859.tif 000017
【図１６】
2006323859.tif 000018
【図１７】
2006323859.tif 000019
【図１８】
2006323859.tif 000020
【図１９】
2006323859.tif 000021
【図２０】
2006323859.tif 000022
【図２１】
2006323859.tif 000023
【図２２】
2006323859.tif 000024
【図２３】
2006323859.tif 000025
【図２４】
2006323859.tif 000026
【図２５】
2006323859.tif 000027
【図２６】
2006323859.tif 000028
【手続補正書】
【提出日】平成18年7月12日(2006.7.12)
【手続補正１】
【補正対象書類名】明細書
【補正対象項目名】００１１
【補正方法】変更
【補正の内容】
【００１１】
本発明は、上記従来の問題点を解決するもので、自然なページめくりの作法を実現できる書類表示装置を提供することを目的とする。
【手続補正２】
【補正対象書類名】明細書
【補正対象項目名】００１２
【補正方法】変更
【補正の内容】
【００１２】
上記目的を達成するために、第１の本発明は、書類のページを表示する書類表示装置であって、前記書類表示装置の加速度を検出する加速度検出手段と、時間の経過を検出する時間経過検出手段と、前記加速度検出手段と前記時間経過検出手段から前記書類表示装置の加速度の時系列変化を蓄積する時系列情報蓄積手段と、前記書類表示装置で表示されたページの変更処理と、加速度の変化の時系列情報とを対応付けたルールを蓄積する時系列ルール蓄積手段と、前記時系列情報蓄積手段で蓄積された加速度の時系列情報と、前記時系列ルール蓄積手段で蓄積されたルールの加速度の時系列情報の照合の結果に基づいて、対応するページの変更処理を選択し、前記書類表示装置に表示しているページの表示変更を行う表示変更手段とを備えた、書類表示装置である。
【手続補正３】
【補正対象書類名】明細書
【補正対象項目名】００１３
【補正方法】変更
【補正の内容】
【００１３】
第２の本発明は、
前記時系列ルール蓄積手段で蓄積されているルールの加速度の時系列変化は、３個の加速度の極値とページめくりが対応付けされて蓄積されている、第１の本発明の書類表示装置である。
【手続補正４】
【補正対象書類名】明細書
【補正対象項目名】００１４
【補正方法】変更
【補正の内容】
【００１４】
第３の本発明は、
前記時系列ルール蓄積手段で蓄積されているルールの加速度の時系列変化は、１回目の極値と２回目の極値の値が反対方向の加速度であり、さらに、３回目の極値の値は１、２回目の極値の値より小さい、第２の本発明の書類表示装置である。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
画像表示面を傾けたり、移動させたりする際に生じる加速度とその加速度の変化の両方又はどちらか一方を検出することができ、その検出結果に基づいて、回転又は移動等の変化を表示手段により表示される画像に反映させることができる。このようにして、画像表示面を傾けたり、移動させたりする行為が直接画像の変化に反映されるため、ユーザにとって直感的に理解しやすい画像表示装置を提供することが可能となる。
【手続補正１６】
【補正対象書類名】明細書
【補正対象項目名】００２７
【補正方法】変更
【補正の内容】
【００２７】
本発明によれば、自然な書類のページめくりのための作法を実現できる書類表示装置を提供することが出来る。
【手続補正１７】
【補正対象書類名】明細書
【補正対象項目名】００２９
【補正方法】変更
【補正の内容】
【００２９】
以下、本発明及び本発明に関連する発明の実施の形態について図面を参照しながら詳細に説明する。
【手続補正１８】
【補正対象書類名】明細書
【補正対象項目名】００３０
【補正方法】変更
【補正の内容】
【００３０】
（第１の実施の形態）
以下に本発明に関連する発明の第１の実施の形態について、図面を参照しながら説明する。本実施の形態は携帯型のデータ・ビュアーを対象に、表示される画像の表示を変化させる働きを持つ。
【手続補正１９】
【補正対象書類名】明細書
【補正対象項目名】００３４
【補正方法】変更
【補正の内容】
【００３４】
ここで、図１の表示装置１０１は、後述する本発明に関連する発明の画像表示装置の表示手段に該当する。図２のＬＣＤ２０１は、後述する本発明に関連する発明の画像表示面に該当し、後述する本発明に関連する発明の表示手段に含まれる。傾き検出手段１０２は、後述する本発明に関連する発明の変化検出手段に該当する。
【手続補正２０】
【補正対象書類名】明細書
【補正対象項目名】００４５
【補正方法】変更
【補正の内容】
【００４５】
（第２の実施の形態）
本発明に関連する発明の第２の実施の形態は、そのシステム構成において傾き検出手段としてジャイロを用いることのみが第１の実施の形態と異なり、他の構成及び動作は第１の実施の形態と等しいので詳細は省略する。ここで、ジャイロによる傾き検出は既存の手法を利用して構わない。
【手続補正２１】
【補正対象書類名】明細書
【補正対象項目名】００４６
【補正方法】変更
【補正の内容】
【００４６】
（第３の実施の形態）
以下に本発明に関連する発明の第３の実施の形態について、図面を参照しながら説明する。本実施の形態の対象は第１の実施の形態と同じである。
【手続補正２２】
【補正対象書類名】明細書
【補正対象項目名】００５９
【補正方法】変更
【補正の内容】
【００５９】
（第４の実施の形態）
以下に本発明に関連する発明の第４の実施の形態について、図面を参照しながら説明する。本実施の形態の対象は第１の実施の形態と同じである。
【手続補正２３】
【補正対象書類名】明細書
【補正対象項目名】００６２
【補正方法】変更
【補正の内容】
【００６２】
ここで、機器補助手段である筐体８０５は、後述する本発明に関連する発明の画像表示手段の支持手段に該当する。
【手続補正２４】
【補正対象書類名】明細書
【補正対象項目名】００７３
【補正方法】変更
【補正の内容】
【００７３】
（第５の実施の形態）
以下に本発明に関連する発明の第５の実施の形態について、図面を参照しながら説明する。本実施の形態は携帯型のデータ・ビュアーを対象に、表示される画像の表示を変化させる働きを持つ。
【手続補正２５】
【補正対象書類名】明細書
【補正対象項目名】００７６
【補正方法】変更
【補正の内容】
【００７６】
ここで、図９の表示装置９０１は、後述する本発明に関連する発明の画像表示装置の表示手段に該当する。図１０のＬＣＤ１００１は、後述する本発明に関連する発明の画像表示面に該当し、後述する本発明に関連する発明の表示手段に含まれる。加速度検出手段９０２は、後述する本発明に関連する発明の変化検出手段に該当する。
【手続補正２６】
【補正対象書類名】明細書
【補正対象項目名】００８８
【補正方法】変更
【補正の内容】
【００８８】
（第６の実施の形態）
以下に本発明に関連する発明の第６の実施の形態について、図面を参照しながら説明する。本実施の形態の対象は第５の実施の形態と共通である。
【手続補正２７】
【補正対象書類名】明細書
【補正対象項目名】００９１
【補正方法】変更
【補正の内容】
【００９１】
ここで、機器補助手段である筐体１２０４は、後述する本発明に関連する発明の画像表示装置の支持手段に該当する。
【手続補正２８】
【補正対象書類名】明細書
【補正対象項目名】０１０２
【補正方法】変更
【補正の内容】
【０１０２】
（第７の実施の形態）
以下に本発明に関連する発明の第７の実施の形態について、図面を参照しながら説明する。本実施の形態は携帯型のゲーム機を対象に、表示される画像の表示を変化させる働きを持つ。
【手続補正２９】
【補正対象書類名】明細書
【補正対象項目名】０１０５
【補正方法】変更
【補正の内容】
【０１０５】
ここで、図１４の表示装置１４０１は、後述する本発明に関連する発明の画像表示装置の表示手段に該当する。図１５のＬＣＤ１５０１は、後述する本発明に関連する発明の画像表示面に該当し、後述する本発明に関連する発明の表示手段に含まれる。着脱カートリッジ１４１０（又は図１５のカートリッジ１５０４）に格納された傾き検出手段１４０２と携帯型ゲーム機器に内蔵された傾きセンサとは、後述する本発明に関連する発明の変化検出手段に該当する。
【手続補正３０】
【補正対象書類名】明細書
【補正対象項目名】０１１１
【補正方法】変更
【補正の内容】
【０１１１】
また、後述する本発明に関連する発明の各手段は、それら各機能を有するハード回路を用いて実現しても良いし、コンピュータを用いてソフトウェア的に実現しても良い。
【手続補正３１】
【補正対象書類名】明細書
【補正対象項目名】０１１３
【補正方法】変更
【補正の内容】
【０１１３】
また、本実施の形態では、着脱カートリッジ１４１０（又はカートリッジ１５０４）が、傾き検出手段１４０２のプログラムを記憶したＲＯＭを格納し、機器本体が傾きセンサを内蔵しているとしたが、必ずしもこれに限らず、着脱カートリッジ１４１０（又はカートリッジ１５０４）が、傾き検出手段１４０２のプログラムを記憶したＲＯＭと傾きセンサとの両方を格納するとしてもよい。要するに、後述する本発明に関連する発明の画像表示装置では、カートリッジは、変化検出手段及び／又は表示変更手段の全部又は一部を格納するもので有れば良い。
【手続補正３２】
【補正対象書類名】明細書
【補正対象項目名】０１１４
【補正方法】変更
【補正の内容】
【０１１４】
（第８の実施の形態）
以下に本発明に関連する発明の第８の実施の形態について、図面を参照しながら説明する。本実施の形態は携帯型のゲーム機を対象に、表示される画像の表示を変化させる働きを持つ。
【手続補正３３】
【補正対象書類名】明細書
【補正対象項目名】０１１７
【補正方法】変更
【補正の内容】
【０１１７】
ここで、図１６の表示装置１６０１は、後述する本発明に関連する発明の画像表示装置の表示手段に該当する。図１７のＬＣＤ１７０１は、後述する本発明に関連する発明の画像表示面に該当し、後述する本発明に関連する発明の表示手段に含まれる。図１６の着脱カートリッジ１６１０（又は図１７のカートリッジ１７０３）に格納された加速度検出手段１６０２と携帯型ゲーム機器に内蔵された加速度センサとは、後述する本発明に関連する発明の変化検出手段に該当する。
【手続補正３４】
【補正対象書類名】明細書
【補正対象項目名】０１２４
【補正方法】変更
【補正の内容】
【０１２４】
また、本実施の形態では、着脱カートリッジ１６１０（またはカートリッジ１７０３）が、加速度検出手段１６０２のプログラムを記憶したＲＯＭを格納し、機器本体が加速度センサを内蔵しているとしたが、必ずしもこれに限らず、着脱カートリッジ１６１０（またはカートリッジ１７０３）が、加速度検出手段１６０２のプログラムを記憶したＲＯＭと加速度センサとの両方を格納するとしてもよい。要するに、後述する本発明に関連する発明の画像表示装置では、カートリッジは、変化検出手段及び／又は表示変更手段の全部又は一部を格納するもので有れば良い。
【手続補正３５】
【補正対象書類名】明細書
【補正対象項目名】０１４７
【補正方法】変更
【補正の内容】
【０１４７】
また、本実施の形態では、画像表示装置は、本実施の形態で説明した動作の処理を行うプログラムと、それが起動されている際の実効プログラムによる演算処理及び制御等を行うＣＰＵ２３０５とそれとシステムバス２３０８を介して接続されているその実効プログラムの記憶及び作業領域等に使用される記憶装置２３０３を含むコンピュータとによって、ソフト的に構成されるとしたが、必ずしもこれらに限らず、画像表示装置の各構成要素は、ハード的に構成されるとしてもよい。
以下に、本発明に関連する発明について記載する。
本発明に関連する第１の発明は、画像を画像表示面に表示させるステップと、機器の一部又は全部の位置を変化させた場合、その位置の変化に関する情報を検出するステップと、その検出された位置の変化に関する情報に基づいて、前記画像表示面に表示される画像を変化させるステップとを備えたことを特徴とする画像表示方法である。
また、本発明に関連する第２の発明は、画像を表示している画像表示面の位置を変化させた場合に、その位置の変化に関する情報を検出するステップと、その検出された位置の変化に関する情報に基づいて、前記画像表示面に表示される画像を変化させるステップとを備えたことを特徴とする画像表示方法である。
なお、上記発明の画像表示方法における前記位置の変化に関する情報とは、その位置の傾きに関する情報である、又はその位置の加速度に関する情報であるとしてもよい。
また、本発明に関連する第４の発明は、画像を表示する表示手段と、機器の一部又は全部の位置を変化させた場合、その位置の変化に関する情報を検出する変化検出手段と、その変化検出手段により検出された位置の変化に関する情報に基づいて、前記表示手段により表示される画像を変化させる表示変更手段とを備えたことを特徴とする画像表示装置である。
また、本発明に関連する第５の発明は、画像を表示する表示手段と、その表示手段における画像を表示している画像表示面の位置を変化させた場合に、その位置の変化に関する情報を検出する変化検出手段と、その変化検出手段により検出された位置の変化に関する情報に基づいて、前記表示手段により表示される画像を変化させる表示変更手段とを備えたことを特徴とする画像表示装置である。
また、本発明に関連する第７の発明は、本体に着脱可能であり、画像データを記憶しているカートリッジと、そのカートリッジに記憶されている画像データに基づいて、画像を表示する前記本体に具備された表示手段と、その表示手段における画像を表示している画像表示面の位置を変化させた場合に、その位置の変化に関する情報を検出する変化検出手段と、その変化検出手段により検出された位置の変化に関する情報に基づいて、前記表示手段により表示される画像を変化させる表示変更手段とを備え、前記カートリッジは、前記変化検出手段及び／又は前記表示変更手段の全部又は一部を格納していることを特徴とする画像表示装置である。
なお、本発明に関連する第５の発明は、前記表示手段における画像表示面の位置を可動状態で支持する支持手段を備え、前記変化検出手段は、前記表示手段における画像表示面の位置を変化させた場合、前記支持手段に対する前記画像表示面の位置の相対的変化に基づいて、前記位置の変化に関する情報を検出するとしてもよい。
また、上記本発明に関連する発明の画像表示装置の表示変更手段は、例えば、前記変化検出手段により検出された位置の変化に関する情報を直接的に用いて、前記表示手段により表示される画像を変化させるとしてもよく、あるいは前記変化検出手段により検出された位置の変化に関する情報を間接的に用いて、前記表示手段により表示される画像を変化させるとしてもよい。即ち、上記発明の画像表示装置は、時間の経過を検出する時間経過検出手段と、その時間経過検出手段により検出された時間の経過と前記変化検出手段により検出された位置の変化に関する情報に基づいて得られた、その位置の変化に関する時系列情報を格納する変化時系列記憶手段とを備え、前記表示変更手段は、前記変化時系列記憶手段に格納された位置の変化に関する時系列情報を考慮して、前記表示手段により表示される画像を変化させるとしてもよい。要するに、上記発明の画像表示装置の表示変更手段は、前記変化検出手段により検出された位置の変化に関する情報に基づいて、前記表示手段により表示される画像を変化させるものであればよい。
また、上記本発明に関連する発明の画像表示装置では、前記位置の変化に関する情報とは、その位置の傾きに関する情報であり、前記変化検出手段は、傾きセンサを用いて、前記位置の傾きに関する情報を検出するとしてもよい。
また、上記本発明に関連する発明の画像表示装置では、前記位置の変化に関する情報とは、その位置の加速度に関する情報であって、前記変化検出手段は、加速度センサを用いて、前記位置の加速度に関する情報を検出するとしてもよい。
また、上記本発明に関連する発明の画像表示装置では、前記位置の変化に関する情報とは、その位置の傾きに関する情報であり、前記変化検出手段は、ジャイロを用いて、前記位置の変化に関する情報を検出するとしてもよい。
また、上記本発明に関連する発明の画像表示装置の変化検出手段は、スイッチを用いて、前記位置の変化に関する情報を検出するとしてもよい。
以上のような構成によって、本発明に関連する発明の画像表示装置は、例えば、以下の特徴を有する。
画像表示面の傾きとその傾きの変化の両方又は一方を検出することができ、その検出結果に基づいて、回転又は移動等の変化を表示手段により表示される画像に反映させることができる。このようにして、画像表示面を傾ける行為が直接画像の変化に反映されるため、ユーザにとって直感的に理解しやすい画像表示装置を提供することが可能となる。
あるいは、画像表示面を傾けたり、移動させたりする際に生じる加速度とその加速度の変化の両方又はどちらか一方を検出することができ、その検出結果に基づいて、回転又は移動等の変化を表示手段により表示される画像に反映させることができる。このようにして、画像表示面を傾けたり、移動させたりする行為が直接画像の変化に反映されるため、ユーザにとって直感的に理解しやすい画像表示装置を提供することが可能となる。
上記発明は、従来の問題点を解決するもので、ユーザにとって直接的、直感的で、かつ携帯したままの状態で容易に画像を操作できる画像表示方法及びその装置を提供することを目的とするものである。
以上に示したように、上記発明の構成によれば、ユーザは実際の物体を観察するために行うような視点変更のための作業を機器に対して行う、あるいは物体に対する視点を自ら移動するという作業を行うことのみで、表示画像に対する望みの視点変更を容易にかつ自然に行うことが可能となる。
【手続補正３６】
【補正対象書類名】明細書
【補正対象項目名】０１４８
【補正方法】変更
【補正の内容】
【０１４８】
本発明の書類表示装置は、自然な書類のページめくりのための作法を実現できる効果を有し、小型のディスプレイを有する携帯電子機器等として有用である。
【手続補正３７】
【補正対象書類名】明細書
【補正対象項目名】０１４９
【補正方法】変更
【補正の内容】
【０１４９】
【図１】本発明に関連する発明の第１の実施の形態に係る画像表示装置のシステム構成図
【図２】本発明に関連する発明の第１の実施の形態に係る画像処理装置の斜視図
【図３】本発明に関連する発明の第１の実施の形態の機器の状態変化と対応した表示画像の状態変化例を示す図
【図４】本発明に関連する発明の第１の実施の形態に係る画像表示装置の処理の流れ図
【図５】本発明に関連する発明の第１及び第３の実施の形態に係る画像表示装置により表示される画像データ情報の例を示す図
【図６】本発明に関連する発明の第３の実施の形態に係る画像処理装置の斜視図
【図７】本発明に関連する発明の第３の実施の形態に係る画像表示装置の処理の流れ図
【図８】本発明に関連する発明の第４の実施の形態に係る画像処理装置の斜視図及びその断面図
【図９】本発明に関連する発明の第５の実施の形態に係る画像表示装置のシステム構成図
【図１０】本発明に関連する発明の第５の実施の形態に係る画像処理装置の斜視図
【図１１】本発明に関連する発明の第５の実施の形態に係る画像表示装置の処理の流れ図
【図１２】本発明に関連する発明の第６の実施の形態に係る画像処理装置の斜視図及びその断面図
【図１３】従来の画像表示装置のシステム構成図
【図１４】本発明に関連する発明の第７の実施の形態に係る画像表示装置のシステム構成図
【図１５】本発明に関連する発明の第７の実施の形態に係る画像処理装置の斜視図
【図１６】本発明に関連する発明の第８の実施の形態に係る画像表示装置のシステム構成図
【図１７】本発明に関連する発明の第８の実施の形態に係る画像処理装置の斜視図
【図１８】本発明の第９の実施の形態に係る画像表示装置のシステム構成図
【図１９】本発明の第９の実施の形態に係る画像表示装置の処理の流れ図
【図２０】本発明の第９の実施の形態に係る画像表示装置により表示される画像データ情報の例を示す図
【図２１】本発明の第９の実施の形態に係る画像表示装置の傾き変化の時系列情報の例を示す図
【図２２】本発明の第９の実施の形態に係る画像表示装置の時系列ルールの例を示す図
【図２３】本発明の第１０の実施の形態に係る画像表示装置のシステム構成図
【図２４】本発明の第１０の実施の形態に係る画像表示装置の処理の流れ図
【図２５】本発明の第１０の実施の形態に係る画像表示装置の加速度変化の時系列情報の例を示す図
【図２６】本発明の第１０の実施の形態に係る画像表示装置の時系列ルールの例を示す図